(57)【特許請求の範囲】
【請求項１】
水面に浮遊するスカムを水とともに誘引して内部の排出通路に沿ってこれらのスカム水を流すように構成された長寸状のトラフを矩形沈澱池の両側壁間に横架して固定式に備えるとともに、同トラフの一側に、スカム水を誘引したり堰止めたりする堰部材が昇降可能に設けられているスカム除去装置を清掃するための装置であって、前記トラフおよび堰部材のうち少なくともトラフには、その長手方向に沿って往復運動可能な清掃具が設けられ、同清掃具は、前記堰部材の下降動作に連動してトラフ内の底面から浮き上がるようになっていることを特徴とするスカム除去装置の清掃装置。
【発明の詳細な説明】
【０００１】
【産業上の利用分野】
この発明は、スカム除去装置の表面に付着する藻などを効果的に除去するための清掃装置に関する。
【０００２】
【従来の技術】
沈澱池などに設置されているスカム除去装置には、種々形式のものがある。
例えば、本出願人が提案したものは、一方である前側が低く他方である後側が高い略Ｊ字形断面で上方を開放した長尺状のトラフを池内に横架して固定するとともに、その前側を水面よりも低くし、その前側に、回転軸を介して堰部材であるフロートを上下揺動可能に配したものである。  この装置は、フライトに取り付けられたローラでカム板を蹴り上げ、同カム板の運動をてこアームにより押し下げ力に変え、これにより、堰部材を押し下げて水面のスカムを水とともにトラフ内に誘引するように構成してある。
堰部材は、中空であるので、その浮力により持ち上がってスカムの誘引を阻止するようになる。この繰り返しにより呑み込んだスカムは、トラフ内の排出通路を流れて、端部のスカムピット内に流れ、次の処理設備に送られるようになっている。
【０００３】
【発明が解決しようとする課題】
ところで、前記スカム除去装置には、堰部材やトラフ内面などに藻が付着するとともに、呑み込んだスカムが残留付着して、見た目にも好ましくなく、また、スカム水の円滑な流れを阻止し不都合であった。
【０００４】
この発明は前記課題を解決するためになされたもので、その目的とするところは、藻等の付着物や残留物などを強制的かつ効果的に清掃除去することのできる清掃装置を提供することを目的とする。
【０００５】
【課題を解決するための手段】
前記課題を解決するため、請求項１記載の発明は、水面に浮遊するスカムを水とともに誘引して内部の排出通路に沿ってこれらのスカム水を流すように構成された長寸状のトラフを矩形沈澱池の両側壁間に横架して固定式に備えるとともに、同トラフの一側に、スカム水を誘引したり堰止めたりする堰部材が昇降可能に設けられているスカム除去装置を清掃するための装置であって、前記トラフおよび堰部材のうち少なくともトラフには、その長手方向に沿って往復運動可能な清掃具が設けられ、同清掃具は、前記堰部材の下降動作に連動してトラフ内の底面から浮き上がるようになっていることを特徴とする。
【０００６】
【作用】
昇降可能な堰部材を備えたトラフの少なくとも同トラフには、その長手方向に沿って往復運動可能な清掃具が設けられ、同清掃具は、前記堰部材の下降動作に連動してトラフ内の底面から浮き上がるようになっているので、トラフ表面の藻やスカムなどの付着物は定期的な清掃により常に美麗な状態にあり、スカム水の流れも円滑に得られるようになる。
【０００７】
【実施例】
以下、図示した実施例を参照してこの発明を詳細に説明する。
図１は、この発明の一実施例を示す横断面図、図２は図１のＩＩ−ＩＩ線断面図、図３は図１のＩＩＩ−ＩＩＩ線断面図をそれぞれ示している。
【０００８】
この実施例において、１は沈澱池で、ここでは矩形の沈澱池を示している。
【０００９】
同沈澱池１において、２は長手方向の側壁を示し、それに直交する端壁は図示省略されている。
【００１０】
各側壁２には、連通パイプ３がハツリにより挿通され、連通パイプ３間に、両端ボルト締めによりトラフ５が横架され固定式に設けられている。このトラフ５は、図１のように、前側が水面６よりも低く後側が水面６よりも高い略Ｊ字形で上方を開放した形のもので、その両端のフランジ７が連通パイプ３のフランジ８にボルト接合されている。
【００１１】
トラフ５の両端は開放状で、図２のように、連通パイプ３に連通している。そして、図２に示す例えば、右端のトラフ５から左端のトラフ５へと排出通路９が僅かな角度（２度程度）下がり傾斜し、これにより、右からのスカム水が左方向へと自然に流れるようになっている。
【００１２】
トラフ５の前側上端には、図１のように、水平な突起が長手方向に長く形成され、その上にゴム製の底部シール１０が乗せ付け固定されている。この底部シール１０を介して長円断面形状で中空状の堰部材（フロート）１１が設けられている。この堰部材１１は、両端が側板１２で閉塞されているとともに、両端に挿通固定された回転軸１３をフランジ７，８に回転自在に挿通することで上下に揺動運動をするようになっている。尚、１４は側部シールで、前記側板１２に常時接触して前方からの水の浸入を阻止する。
【００１３】
このスカム除去装置は、他に堰部材１１の押し下げ機構が構成されている。１６は両側壁２，２間に横架された回転伝達軸で、同軸１６の一側前方には、第１アーム１７が延びており、その先端にカム板１８が曲面形のものとして取り付けられている。一方、回転伝達軸１６のトラフ５側には、左右２本の第２アーム１９が延びており、その後端と堰部材１１との間に連結ロッド２０が接続されている。
【００１４】
池内で運動してくるフライト２２にはローラ２３が付属され、同ローラ２３がカム板１８を蹴り上げて第１アーム１７を介して第２アーム１９を下げることで、連結ロッド２０を介して堰部材１１が押し下げられる。これにより、それまで堰止められてきたスカムが水とともに堰部材１１の方向に誘引され、同堰部材１１上を通じてトラフ５内に呑み込まれる。
【００１５】
ローラ２３によるカム板１８の押し上げが終わると、堰部材１１はその浮力で（あるいはバランサの力をも作用して）浮き上がり、スカムの誘引はそこで停止する。
【００１６】
このようなカムおよびてこ方式の作動機構によらず、図１に仮想線で示す獅子威しタイプのものを使うこともできる。すなわち、２５は支点で、同支点２５を介して中空型の水タンク２６が後方のストッパ２７で静止して水平に止まるようになっている。水タンク２６は、その内部が後部空間２８と前部空間２９からなる。後部空間２９には、矢印のように水が少量ずつ注がれ、その前部の前上がりの高さを越えると、内部の水は前部空間２９内に入り込む。そして、前部空間２９内に一定の水が溜まると水タンク２６は支点２５を境にして前下がり状に作動しはじめる。水タンク２６が下がると、排水口３０より徐々に排水が始まり、後部空間２８からの水も手伝って一定の時間堰部材１１を押さえ込む。排水が続くと、水タンク２６は、前部が軽くなって後下がりに動作し、復帰する。この繰り返しで堰部材１１を浮沈させる。この獅子威しについての詳細は、本出願人が先に提案している。
【００１７】
ところで、清掃装置は、複連のトラフ５…にそれぞれ構成され、これらが図２のモーター（減速機付）３２で微速で全て連動するようになっている。同清掃装置は、次のようになっている。すなわち、３３はガイドレールで、連通パイプ３の上壁底面にその両端を固定して各トラフ５内の上部を通るように位置している。同ガイドレール３３は、リップ付の溝形チャンネル材でなり、その溝開口側を下向きにして固定されている。
【００１８】
他のガイドレール３３も同一線上にくるように配されている。このガイドレール３３には、ガイドローラ３４が前後２個転動自在に配されており、同ローラ３４が、下向きに延びた支持板３５を同行してガイドレール３３に沿って往復運動する。ガイドレール３４の両端にそれぞれ対応してシーブ３６が配され、これらの間に掛けられた無端伝動部材であるワイヤーロープ３７が前記支持板３５に結合されている。
【００１９】
また、各シーブ３６は、モーター３２以外のものが２連であり、モーター３２のシーブ３６から連通パイプ３内のシーブ３６の一側のものにワイヤーロープ３７により動力を伝達し、その他側のものに伝達して同じく連通パイプ３内の他のシーブ３６の一方のものに連動ワイヤーロープ２８により伝達し、さらに、同他のシーブ３６からその側部のシーブ３６に伝達してトラフ５内のワイヤーロープ３７を駆動するようになっている。このようにして各トラフ５内のワイヤーロープ３７が全て往復連動する。
【００２０】
前記支持板３５は、図１のように、ワイヤーロープ３７に干渉しない曲形とされ、その下端にはピン４０を介して前後に回転自在に回転板４１が取り付けられている。この回転板４１は、図２に示すように、実線矢印方向に進行するとき、支持板３５に当たって垂直姿勢になり、後退する時は実線矢印方向に回転回避可能なよう、前部が丸く後部が角形の係止部になっている。
【００２１】
この回転板４１に直交するようにブラケット４２が取り付けられ、同ブラケット４２に折り曲げ状の取付板４３が取り付けられている。この取付板４３は、トラフ５の内側に距離を置いて沿う形状に曲げられるとともに、堰部材１１の上方に沿った形になっている。そして、この取付板４３の外周には、ブラシ（清掃具）４４がトラフ５の内面全体および堰部材１１の上面に沿うように植毛されている。
【００２２】
また、堰部材１１のトラフ５側の端部には、同トラフ５の上面と同一面になるように押し上げ板４６が取り付けられている。一方、取付板４３の前側には、軸を介して丸形のローラ４７が突設され、同ローラ４７は、堰部材１１が図１のように前上がりの堰止め状態の時は押し上げ板４６に沿って移動し、堰部材１１が押し下げられて押し上げ板４６が上がることで、同ローラ４７が蹴り上げられる。これにより、ピン４０を中心に取付板４３が図２の実線矢印方向に持ち上がり、同様にブラシ４４もトラフ５の底から浮上がるように作動する。これは、堰部材１１が押し下げられてスカム水が呑み込まれる際にブラシ４４がトラフ５の底から持ち上がってスカム水の流れを確保するように作動することを意味する。
【００２３】
従って、モーター３２とシーブ３６およびワイヤーロープ３７，３８により支持板３５が図２の実線矢印の方向に進行して、トラフ５の内面および堰部材１１の上面を清掃してゆくが、堰部材１１が押し下げられると、スカム水が流入してくるので、その流れを避けるため、押し下げ板４６がローラ４７を介してブラシ４４を持ち上げるのである。この運動は、トラフ５のそれぞれにおいて個別的になされる。
【００２４】
他の実施例を説明する。
図４および図５は他の実施例で、前記実施例では、ブラシ４４が回避するようになっていたが、この実施例では、図５のように、トラフ５の中で常に流れ（図５の破線矢印）に逆行しない方向性をもつ２枚のプレート５０を図示しない支持板に取付けてトラフ５内で往復運動させ、同プレート５０にブラシ４４を備え付けて、トラフ５の底・前・後の３面を余すところなく清掃するように構成する。尚、前側のプレート５０あるいは支持板からは、堰部材１１を清掃するプレート５０およびブラシ４４を延ばしてもよいし、同ブラシ４４を固定的に延びて移動するものでなく、バネ等により連通パイプ３に当たると図６のように回避し得る構成にしておくと、トラフ５内のプレート５０が連通パイプ３内にも通過できるようになり、その結果、１つの清掃装置でもって全てのトラフ５内を清掃することもできるようになる。ワイヤーロープも１本で済む。尚、図６の５４は多数のトラフ５に単一掛けられたワイヤーロープであり、５５はプレート５０…の支持板（キァリア）である。
【００２５】
尚、この発明では、清掃具としてブラシ４４を使用しているが、ゴム板やブラスチック板などを使用してもよい。また、ガイドレールとしては、トラフ５の後部に設けられたリブ（図４の５３）を使用してもよい。
【００２６】
【発明の効果】
この発明は以上のような清掃装置であるので、藻等の付着物や残留物などを強制的かつ効果的に清掃除去することのできる清掃装置を提供することができるだけでなく、堰部材が下降してスカム水を誘引する際に邪魔となる清掃具を堰部材の下降動作に連動して浮き上がるようになっているので、極く簡略な清掃装置を提供することができる。
【図面の簡単な説明】
【図１】この発明の一実施例を示す装置側断面図である。
【図２】図１のＩＩ−ＩＩ線断面図である。
【図３】図１のＩＩＩ−ＩＩＩ線断面図である。
【図４】他の実施例を示す斜視断面図である。
【図５】同実施例の平面説明図である。
【図６】同実施例の変形例を示す平面図である。
【符号の説明】
５…トラフ、９…排出通路、１１…堰部材、３３…ガイドレール、４４…ブラシ（清掃具）。
【図１】
0003728629.tif 000002
【図２】
0003728629.tif 000003
【図３】
0003728629.tif 000004
【図４】
0003728629.tif 000005
【図５】
0003728629.tif 000006
【図６】
0003728629.tif 000007